(57)【要約】【課題】複数の漢字を含んでいる熟語や見出し語を容易に検索することができる電子辞書の提供。【解決手段】検索した漢字を記憶しておくことのできる検索漢字記憶手段と、記憶してある漢字を全て含む熟語（見出し語）を検索する全漢字検索手段と、記憶してある漢字のいずれか一漢字を含む熟語（見出し語）を検索する単一漢字検索手段と、記憶してある漢字の中からいくつかの複数漢字を含む熟語（見出し語）を検索する複数漢字検索手段とを備える。【選択図】    図１
2005070845.tif 000002
【特許請求の範囲】
【請求項１】
ローマ字の文字列を入力するローマ字入力手段と、入力されたローマ字を「かな」に変換するローマ字かな変換手段と、数字を入力する数字入力手段と、漢字を含む熟語（見出し語）辞書データが格納された辞書データ記憶手段と、前記ローマ字かな変換手段により生成された「かな」をデータとして持つ漢字を前記辞書データ記憶手段から検索するかな漢字検索手段と、入力した数字を基に画数から漢字を検索する画数漢字検索手段と、該検索した漢字を記憶可能な検索漢字記憶手段とを備えたことを特徴とする電子辞書。
【請求項２】
検索し記憶してある漢字を全て含む熟語（見出し語）を検索する全漢字検索手段をさらに備えたことを特徴とする請求項１記載の電子辞書。
【請求項３】
検索し記憶してある漢字のいずれか一漢字を含む熟語（見出し語）を検索する単一漢字検索手段をさらに備えたことを特徴とする請求項１記載の電子辞書。
【請求項４】
検索し記憶してある漢字の中からいくつかの複数漢字を含む熟語（見出し語）を検索する複数漢字検索手段をさらに備えたことを特徴とする請求項１記載の電子辞書。
【発明の詳細な説明】
【０００１】
【発明の属する技術分野】
この発明は、文字を入力して複数漢字検索機能を備えた電子辞書に関するものである。
【０００２】
【従来の技術】
電子辞書の分野においては従来より、漢字検索を行い、その漢字一文字を含む熟語（見出し語）を検索する機能を備えた電子辞書が存在していた（例えば特許文献１、特許文献２参照）。使用者は、検索した漢字一文字を含む熟語（見出し語）リストから希望の熟語（見出し語）を検索するのである。
【０００３】
【特許文献１】
特開平７−８５０５８号公報
【０００４】
【特許文献２】
特開平７−２３９８５８号公報
【０００５】
【発明が解決しようとする課題】
ところで、上記のような従来の電子辞書では、ローマ字または数字を入力し、漢字を検索してもその漢字を記憶しておく手段を有していなかったので、その単一漢字を含む熟語（見出し語）しか検索できなかった。そのため、複数の漢字を含む熟語（見出し語）を検索する機能は無かった。これは熟語を素早く効率的に学習しようとする為の検索方法としては適していない。従って、この複数の漢字を含む熟語（見出し語）を検索できる複数漢字検索機能を備える必要性があった。
【０００６】
本発明は、従来の電子辞書の持つ上記課題を解決することに加え、熟語を素早く効率的に学習しようとする為になされたものであり、その目的は、以下の点にある。
（１）検索した漢字を記憶しておくこと機能を備えた電子辞書を提供すること。
（２）検索し記憶してある漢字を全て含む熟語（見出し語）を検索する機能を備えた電子辞書を提供すること。
（３）検索し記憶してある漢字のいずれか一漢字を含む熟語（見出し語）を検索する機能を備えた電子辞書を提供すること。
（４）検索し記憶してある漢字の中からいくつかの複数漢字を含む熟語（見出し語）を検索する機能を備えた電子辞書を提供すること。
【０００７】
【課題を解決するための手段】
上記第１の目的を達成するために、この発明の電子辞書は、ローマ字の文字列を入力するローマ字入力手段と、入力されたローマ字を「かな」に変換するローマ字かな変換手段と、数字を入力する数字入力手段と、漢字を含む熟語（見出し語）辞書データが格納された辞書データ記憶手段と、前記ローマ字かな変換手段により生成された「かな」をデータとして持つ漢字を前記辞書データ記憶手段から検索するかな漢字検索手段と、入力した数字を基に画数から漢字を検索する画数漢字検索手段と、検索した漢字を記憶しておくことのできる検索漢字記憶手段とを備えるものとした。
【０００８】
また、上記第２の目的を達成するために、この発明の電子辞書は、検索し記憶してある漢字を全て含む熟語（見出し語）を検索する全漢字検索手段をさらに備えるものとした。
【０００９】
また、上記第３の目的を達成するために、この発明の電子辞書は、検索し記憶してある漢字のいずれか一漢字を含む熟語（見出し語）を検索する単一漢字検索手段をさらに備えるものとした。
【００１０】
また、上記第４の目的を達成するために、この発明の電子辞書は、検索し記憶してある漢字の中からいくつかの複数漢字を含む熟語（見出し語）を検索する複数漢字検索手段をさらに備えるものとした。
【００１１】
この発明の電子辞書によると、検索した漢字を記憶しておくことのできる検索漢字記憶手段を備えたことで、複数の漢字を記憶しておくことができる。さらに、検索し記憶してある漢字を全て含む熟語（見出し語）を検索する全漢字検索手段を備えたことで、記憶されている全ての漢字を含む熟語（見出し語）を検索することができる。さらに、検索し記憶してある漢字のいずれか一漢字を含む熟語（見出し語）を検索する単一漢字検索手段を備えたことで、単一漢字のみを含む熟語（見出し語）を検索することができる。さらに、検索し記憶してある漢字の中からいくつかの複数漢字を含む熟語（見出し語）を検索する複数漢字検索手段を備えたことで、複数の漢字を含む熟語（見出し語）を検索することができる。
【００１２】
【発明の実施の形態】
以下、本発明の実施例を図面に基づいて説明する。実施例では、検索された漢字を複数記憶し、それらの漢字を選択して目的の熟語（見出し語）を表示する機能について説明する。
【００１３】
図１は、本発明の実施例のハードウェアの構成を示すブロック図である。図２は、この発明の実施例の外観を示す平面図である。図１において、入力装置１０１は図２のアルファベット（数字）キー２０２、＆キー２０３、決定キー２０４を含む。入力装置１０１は、中央演算処理装置１０２（以降ＣＰＵと言う）に接続され、使用者の過去の漢字記憶履歴はＣＰＵ１０２に接続されるランダムアクセスメモリー１０８（以降ＲＡＭと言う）に記憶される。ＣＰＵ１０２にはさらにリードオンリメモリー１０４〜１０７（以降ＲＯＭと言う）が接続され、これらのＲＯＭ１０４〜１０７には、プログラム（ＲＯＭ１０４）と漢字データ（ＲＯＭ１０５）、熟語（見出し語）データ（ＲＯＭ１０６）、辞書データ（ＲＯＭ１０７）が記憶されている。ＣＰＵ１０２はプログラム（ＲＯＭ１０４）の内容に従って動作する。
【００１４】
漢字データ（ＲＯＭ１０５）は、辞書データ（ＲＯＭ１０７）内に存在する全ての単漢字のデータにより構成されている。熟語（見出し語）データ（ＲＯＭ１０６）は辞書データ（ＲＯＭ１０７）内に存在する全ての熟語及び見出し語のデータにより構成されている。辞書データ（ＲＯＭ１０７）は、見出し語と訳に漢字や熟語を有するデータにより構成されている。
【００１５】
また、ＣＰＵ１０２には表示装置１０３が接続されている。ＲＯＭ１０５〜１０７のデータを検索し、ＣＰＵ１０２により複数漢字検索された検索結果を表示装置１０３に表示する、その結果から目的の熟語を入力装置１０１で選択し対訳を表示する。
【００１６】
検索漢字記憶手段、かな漢字検索手段、画数漢字検索手段、全漢字検索手段、単一漢字検索手段、複数漢字検索手段は、ＣＰＵ１０２の動作により実現される。
【００１７】
ＣＰＵは、過去の漢字検索結果をＲＡＭ１０８に記憶させることにより検索漢字記憶手段を実現する。また、漢字データ（ＲＯＭ１０５）を検索することによりローマ字漢字検索手段及び、画数漢字検索手段を実現する。また、漢字データ（ＲＯＭ１０５）、熟語（見出し語）データ（ＲＯＭ１０６）を検索することにより、全漢字検索手段、単一漢字検索手段、複数漢字検索手段を実現する。
【００１８】
次にこの発明の動作を図２の実施例の動作を各ステップごとに図３について説明する。この実施例では、漢字検索し記憶した漢字と各データとの照合を繰り返し、希望の熟語（見出し語）を表示する。図３は複数漢字検索の動作の流れを示すフローチャートである。以降、図３のフローチャートについて説明する。
【００１９】
ステップ１では、漢字検索を行い、その漢字をＲＡＭに記憶させる。この漢字検索は、アルファベット（数字）キー２０２から、ローマを入力し該当する漢字を検索する方法と数字を入力し該当する画数の漢字を検索する方法とある。この動作を繰り返しＲＡＭに複数の漢字を記憶させておく。ステップ２では、検索対象の漢字をＲＡＭの中に記憶されている中から選択する。ステップ３では、ステップ２で選択された漢字がＲＡＭに記憶されている漢字の全てかを判断する。ステップ４では、ステップ３で判断した内容が全ての漢字の場合、その全ての漢字を含む熟語（見出し語）を検索して候補リストを表示装置１０３に表示する。ステップ５では、ステップ３で判断した内容が全ての漢字では無い場合に、選択された漢字が複数であるか判断する。ステップ６では、ステップ５で判断した内容が複数の漢字の場合、それら選択された全ての漢字を含む熟語（見出し語）を検索して候補リストを表示装置１０３に表示する。ステップ７では、ステップ５で判断した内容が一つの漢字の場合、選択された一漢字を含む熟語（見出し語）を検索して候補リストを表示装置１０３に表示する。
【００２０】
【発明の効果】
以上述べたように、この発明の複数漢字検索機能付き電子辞書は、ローマ字の文字列を入力するローマ字入力手段と、入力されたローマ字を「かな」に変換するローマ字かな変換手段と、数字を入力する数字入力手段と、漢字を含む熟語（見出し語）辞書データが格納された辞書データ記憶手段と、前記ローマ字かな変換手段により生成された「かな」をデータとして持つ漢字を前記辞書データ記憶手段から検索するかな漢字検索手段と、入力した数字を基に画数から漢字を検索する画数漢字検索手段と、検索した漢字を記憶しておくことのできる検索漢字記憶手段と、検索し記憶してある漢字を全て含む熟語（見出し語）を検索する全漢字検索手段と、検索し記憶してある漢字のいずれか一漢字を含む熟語（見出し語）を検索する単一漢字検索手段と、検索し記憶してある漢字の中からいくつかの複数漢字を含む熟語（見出し語）を検索する複数漢字検索手段の構成を持つので、次のような効果を有する。
【００２１】
従来の電子辞書では、検索した漢字を記憶しておくことが出来なかったが、この発明においては、検索した漢字を記憶しておくことができる。
【００２２】
従来の電子辞書では、単一漢字を含む熟語（見出し語）しか検索できなかったが、この発明においては、検索し記憶してある漢字を全て含む熟語（見出し語）を検索することができる。
【００２３】
従来の電子辞書では、単一漢字を含む熟語（見出し語）しか検索できなかったが、この発明においては、検索し記憶してある漢字のいずれか一漢字を含む熟語（見出し語）を検索することができる。
【００２４】
従来の電子辞書では、単一漢字を含む熟語（見出し語）しか検索できなかったが、この発明においては、検索し記憶してある漢字の中からいくつかの複数漢字を含む熟語（見出し語）を検索することができる。
【００２５】
これらの従来の電子辞書の機能にはない便利で効果的な機能を生かせられるこの発明の効果は非常に大きい。
【図面の簡単な説明】
【図１】この発明の電子辞書における実施例の回路ブロック図である。
【図２】この発明の電子辞書における実施例の正面外観図である。
【図３】この発明の電子辞書における複数漢字検索動作の流れを示すフローチャートである。
【符号の説明】
１０１      入力装置
１０２      ＣＰＵ
１０３      表示装置
１０４、１０５、１０６、１０７      ＲＯＭ
１０８      ＲＡＭ
２０１      表示装置
２０２      アルファベット（数字）キー
２０３      ＆キー
２０４      決定キー
【図１】
2005070845.tif 000003
【図２】
2005070845.tif 000004
【図３】
2005070845.tif 000005